(57)【要約】【課題】発光方向を任意に調整でき、照明機能、警告機能及びストロボ機能を有する耳掛け式発光装置を提供する。【解決手段】基部１０と、耳掛け部２０と、回転部３０とを有する。耳掛け部２０は、Ｃ型で湾曲状を呈し、一端に第一連接部を有する。回転部３０は、第二連接部、発光部３２及び制御部３３を有し、第二連接部を介して基部１０の上に装着され、第一位置と第二位置に据えることが可能である。回転部３０が第一位置に据えられている場合、発光部３２は第一方向に向けられる。回転部３０が第二位置に据えられている場合、発光部３２は第二方向に向けられる。制御部３３は、発光部３２を制御して所定の発光形態を起動させたり、中止させたりすることが可能である。第一方向と第二方向の間には少なくとも９０度の間隔が設けられている。【選択図】図１
0003122255.tif 000002
【実用新案登録請求の範囲】
【請求項１】
基部と、
Ｃ型で湾曲状を呈し、その一端に第一連接部を有する耳掛け部と、
第二連接部、発光部及び制御部を有する回転部であって、第二連接部を介して基部の上に装着され、第一位置と第二位置に据えることが可能である回転部と、を備え、
回転部が第一位置に据えられている場合、発光部は第一方向に向けられ、回転部が第二位置に据えられている場合、発光部は第二方向に向けられ、制御部は発光部を制御して所定の発光形態を起動させたり、中止させたりすることが可能であり、第一方向と第二方向の間には少なくとも９０度の角度が形成されることを特徴とする耳掛け式発光装置。
【請求項２】
所定の発光形態は、持続的な発光、緩徐な閃光または急速な閃光などのいずれか一つであり、急速な閃光は一秒当たり３回から６回閃光を放つと定義され、緩徐な閃光は一秒当たり０．５回から３回閃光を放つと定義されることを特徴とする請求項１に記載の耳掛け式発光装置。
【請求項３】
回転部は、
発光部と制御部が装着されている回転本体（Ａ）と、
第二連接部が装着されている回転連接ユニット（Ｂ）と、
回転本体と回転連接ユニットとを連接させることにより、回転本体を所定の範囲内の偏倚回転角度で回転させることが可能である第三連接部（Ｃ）と、
を有することを特徴とする請求項１に記載の耳掛け式発光装置。
【考案の詳細な説明】
【技術分野】
【０００１】
本考案は、耳掛け式発光装置、詳しく言えば、前または後に向けて発光方向を任意に調整することを可能にして、照明機能、警告機能及び救急隊員が捜索するのに役立つストロボ機能を有する耳掛け式発光装置に関するものである。
【背景技術】
【０００２】
従来のヘッドランプは、図８に示すように、作業（鉱山内）またはレクリエーション（キャンプまたは夜間探検など）に使用されているが、発光方向は、通常、前に向けることしかできない。
かつ女性の使用者が暗い場所で化粧を直す必要があっても、このように大型で見た目があまりよくない照明装置を使用して化粧を直すということはまずない。
【０００３】
また、自転車に乗る際、反対に被って後向きに発光させれば、警告ランプ（後方の車両に警告する）になるが、重量があまりにも重すぎ、かつ前向きに照明する必要がある場合、一々被り直さなければならないという欠点がある。
したがって、上述の欠点を解決するために、新製品を研究開発する必要があるとされる。
【考案の開示】
【考案が解決しようとする課題】
【０００４】
本考案の主な目的は、簡単に装着可能である耳掛け式発光装置を提供することである。
本考案のもう一つの目的は、発光方向を任意に調整可能である耳掛け式発光装置を提供することである。
本考案のまたもう一つの目的は、照明機能と警告機能を有する耳掛け式発光装置を提供することである。
本考案のまたもう一つの目的は、救急隊員が捜索するのに役立つストロボ機能を有する耳掛け式発光装置を提供することである。
【課題を解決するための手段】
【０００５】
本考案は、基部と、Ｃ型で湾曲状を呈し、その一端に第一連接部を有する耳掛け部と、第二連接部、発光部及び制御部を有する回転部であって、第二連接部を介して基部の上に装着され、第一位置と第二位置に据えることが可能である回転部とを備え、回転部が第一位置に据えられている場合、発光部は第一方向に向けられ、回転部が第二位置に据えられている場合、発光部は第二方向に向けられ、制御部は発光部を制御して所定の発光形態を起動させたり、中止させたりすることが可能であり、第一方向と第二方向の間には少なくとも９０度を置くことを特徴とする。
【考案を実施するための最良の形態】
【０００６】
図１、図２、図３、図４及び図５に示すように、本考案の一実施例による耳掛け式発光装置は、基部１０、耳掛け部２０及び回転部３０を備える。
基部１０は、特に小型で軽量のものの方が好ましい。
耳掛け部２０は、Ｃ型で湾曲状を呈し、かつ耳掛け部２０の一端に第一連接部２１を有する。耳掛け部２０は、第一連接部２１を介して基部１０の上に装着される。また、耳掛け部２０は、図２に示す通り、実線から仮想線へ回転するように所定の角度で回転可能である。言い換えれば、簡単に収納し、かつ使用者の耳の形に合わせてもっとも快適な状態になるまで調整することが可能である。
【０００７】
回転部３０は、第二連接部３１（図５に示す通り）、発光部３２及び制御部３３を有する。回転部３０は、第二連接部３１を介して基部１０の上に装着され、かつ図３と図４に示すように、第一位置Ｐ１と第二位置Ｐ２に据えることが可能である。回転部３０が第一位置Ｐ１に据えられている場合、発光部３２は第一方向Ｄ１（前）に向けられる。回転部３０が第二位置Ｐ２に据えられている場合、発光部３２は第二方向Ｄ２（後）に向けられる。また、前向きに照射するとしても、図３に示す仮想線の通り、照明の方向をやや下向きに調整することも可能である。
【０００８】
制御部３３は、発光部３２を制御して所定の発光形態を起動させたり、中止させたりすることが可能である。また、第一方向Ｄ１と第二方向Ｄ２の間には少なくとも９０度を置く。
実際上、所定の発光形態は、持続的な発光、緩徐な閃光または急速な閃光などのいずれか一つを選ぶことが可能である。急速な閃光は一秒当たり３回から６回閃光を放つと定義され、緩徐な閃光は一秒当たり０．５回から３回閃光を放つと定義される。緩徐な閃光または急速な閃光などのいずれにしても、夜間に良好な警告効果を有するため、後方の車両からの衝突を避けることが可能である。
【０００９】
詳細に説明すれば、回転部は、（Ａ）発光部３２と制御部３３が装着された回転本体３０Ａと、（Ｂ）第二連接部３１が装着された回転連接ユニット３０Ｂと、（Ｃ）回転本体３０Ａと回転連接ユニット３０Ｂとを連接させることにより、図５に示すように、回転本体３０Ａを所定の範囲内の偏倚回転角度（やや内向きまたは外向きの角度）で回転させることを可能にする第三連接部３０Ｃとを有する。
【００１０】
実際に使用する際、図６に示すように、本実施例を化粧用照明ランプとして使用することが可能である。特に暗い場所でファンデーションを塗ったり、口紅を付けたりといった化粧直しをする必要がある場合、本実施例の回転部３０を前方または下向きの前方に調整すれば使用可能である。
【００１１】
また、使用者が夜間に自転車に乗る際、図７に示すように、回転部３０を後向きに調整し、発光状態を緩徐な閃光または急速な閃光に調整すれば、後方の車両に警告を発し、危険を避けることが可能である。同様に、散歩またはジョギングに使用することも可能である。
【００１２】
また、比較的暗い場所で作業またはレクリエーションをする場合、本実施例を耳に装着すれば、光が必要な時にでも、両手の動作に支障をきたすことなく、簡単に起動することが可能である。また、登山の際に道に迷ったり、野外にこもったりする場合、本実施例は閃光を放つことが可能であるため、捜索に来る救急隊員に見付かる率が大幅に高まる。
【００１３】
上述の通り、本考案の長所と効果は次の通りである。
（１）簡単に装着することが可能である。本考案の耳掛け部は片方の耳（または両方の耳）に簡単に装着することができるため、装着することは面倒ではない。
（２）発光方向を任意に調整することが可能である。本考案は、前方または後方に照明する回転可能な回転部を有し、それと第三連接部とを組み合わせることにより、角度を内向きまたは外向きに調整し、発光方向を任意に調整することが可能である。
【００１４】
（３）照明機能と警告機能を有する。本考案は、化粧用照明ランプまたは作業の際の補助照明ランプとして使用することが可能なだけでなく、自転車、散歩またはジョギングの際の後方警告ランプとして使用することも可能であるため、多重の効果を有する。
（４）閃光を放つことが可能であるため、救急隊員が捜索するのに役立つ。登山の際に、道に迷ったこと、自動車事故で崖から落ちたこと、野外または暗い室内にこもったことなどの思い掛けない事故が発生した場合、本考案が放った閃光（飛行機の翼の閃光に類似している）は目印として発見され易いため、救急隊員が捜索するのに役立つ。したがって、助かる率が大幅に高まる。
以上は、実施例に基づく詳細な説明である。本考案の精神と範疇を逸脱しない実施例に対して簡単な修正と変更をすることは、本考案の請求範囲に属するべきである。
【図面の簡単な説明】
【００１５】
【図１】本考案の一実施例による耳掛け式発光装置を示す斜視図である。
【図２】本考案の一実施例による耳掛け式発光装置の調整可能な耳掛け部を示す模式図である。
【図３】本考案の一実施例による耳掛け式発光装置の前向きの発光部を示す模式図である。
【図４】本考案の一実施例による耳掛け式発光装置の後向きの発光部を示す模式図である。
【図５】本考案の一実施例による耳掛け式発光装置の発光部の方向が調整できることを示す模式図である。
【図６】本考案の一実施例による耳掛け式発光装置を示す模式図である。
【図７】本考案の一実施例による耳掛け式発光装置を示す模式図である。
【図８】従来のヘッドランプを示す模式図である。
【符号の説明】
【００１６】
１０  基部、２０  耳掛け部、２１  第一連接部、３０  回転部、３０Ａ  回転本体、３０Ｂ  回転連接ユニット、３０Ｃ  第三連接部、３１  第二連接部、３２  発光部、３３  制御部、Ｄ１  第一方向、Ｄ２  第二方向、Ｐ１  第一位置、Ｐ２  第二位置
【図１】
0003122255.tif 000003
【図２】
0003122255.tif 000004
【図３】
0003122255.tif 000005
【図４】
0003122255.tif 000006
【図５】
0003122255.tif 000007
【図６】
0003122255.tif 000008
【図７】
0003122255.tif 000009
【図８】
0003122255.tif 000010